【手続補正書】
【提出日】平成18年11月21日(2006.11.21)
【手続補正１】
【補正対象書類名】明細書
【補正対象項目名】特許請求の範囲
【補正方法】変更
【補正の内容】
【特許請求の範囲】
【請求項１】  ポリマーコーティングを含むステント装置において、該ポリマーコーティングが式Iの化合物を含むことを特徴とするステント装置。
【化１】
2002530388.tif 000001
式中、
R1aは任意に置換されたアルキル、ヒドロキシ、アシルオキシ、任意に置換されたアルコキシ、任意に置換されたシクロアルキルオキシ、任意に置換されたオキサヘテロシクリルオキシ、任意に置換されたヘテロシクリルカルボニルオキシまたはハロゲン;
R1bは水素、任意に置換されたアルキル、ヒドロキシ、アシルオキシ、任意に置換されたアルコキシ、任意に置換されたシクロアルキルオキシ、任意に置換されたオキサヘテロシクリルオキシ、任意に置換されたヘテロシクリルカルボニルオキシまたはハロゲン;
R1cは水素、任意に置換されたアルキル、任意に置換されたアリール、任意に置換されたヘテロアリール、ヒドロキシ、アシルオキシ、任意に置換されたアルコキシ、任意に置換されたシクロアルキルオキシ、任意に置換されたヘテロシクリルオキシ、任意に置換されたアリールオキシ、任意に置換されたヘテロアリールオキシ、任意に置換されたヘテロシクリルカルボニルオキシ、ハロゲン、シアノ、R5R6N-またはアシルR5N-;
R2は
【化２】
2002530388.tif 000002
であり、
R3は水素、またはオルト若しくはパラフルオロ、またはメタ低級アルキル、低級アルコキシ、ハロゲンまたはカルバモイル;
R4は水素または低級アルキル;
R5およびR6は独立に水素またはアルキル、またはR5およびR6は、R5およびR6が結合している窒素原子と共に、アザヘテロシクリルを形成する;
ZaはNまたはCH; および
ZbはNHまたはO、または
これらのN-オキシド、水和物、溶媒和物、プロドラッグ、または塩。
但し、R1aおよびR1bは同時に任意に置換されたアルキルを表さない。
【請求項２】  R1aが、メトキシ、エトキシ、2-(エトキシ)エトキシ、2-(4-モルホリニル)エトキシまたはフラニルオキシであり、
R1bが、メトキシまたはエトキシであり、
R1cが、水素、メトキシまたはエトキシであり、
R2が、
【化３】
2002530388.tif 000003
であり、
R3が、水素、オルトまたはパラ  フルオロ、メタ  メチル、トリフルオロメチル、メトキシ、フルオロ、クロロ、ブロモまたはカルバモイルであり、
R4が、水素またはメチルである、請求項１記載のステント装置。
【請求項３】  Zaが、Nである、請求項１記載のステント装置。
【請求項４】  Zaが、CHである、請求項１記載のステント装置。
【請求項５】  Zbが、NHである、請求項１記載のステント装置。
【請求項６】  Zbが、Oである、請求項１記載のステント装置。
【請求項７】  式Iの化合物が、下記の種から選択される、請求項１記載のステント装置。
2-アニリノ-6-キノキサリノール;
2-((R)-α-メチルベンジル-アミノ)-6,7-ジエトキシキノキサリン;
2-アニリノ-6-イソプロポキシキノキサリン;
2-フェノキシ-6-メトキシキノキサリン;
(3-ブロモベンジル)-(6,7-ジメトキシキノキサリン-2-イル)-アミン;
2-(3-カルバモイルフェニルアミノ)-6-メトキシキノキサリン;
2-(2-フルオロフェニルアミノ)-6,7-ジエトキシキノキサリン;
2-(3-トリフルオロメチルフェニルアミノ)-6,7-ジエトキシキノキサリン;
フェニル-[6-(テトラヒドロフラン-3(R)-イルオキシ)キノキサリン-2-イル]アミン;
ベンジル-(6,7-ジメトキシキノキサリン-2-イル)-アミン;
2-((S)-α-メチルベンジル-アミノ)-6,7-ジエトキシキノキサリン;
2-ベンジルアミノ-6,7-ジエトキシキノキサリン;
(6-メトキシキノキサリン-2-イル)-(3-メチルフェニル)-アミン;
6-メトキシ-2-フェニルアミノ-キノキサリン;
2-アニリノ-6-エトキシキノキサリン;
2-(3-メトキシフェニルアミノ)-6,7-ジエトキシキノキサリン;
2-(4-フルオロフェニルアミノ)-6,7-ジエトキシキノキサリン;
(6,7-ジメトキシキノキサリン-2-イル)-(3-フルオロフェニル)-アミン;
2-(3-フルオロフェニルアミノ)-6,7-ジエトキシキノキサリン;
(3-ブロモフェニル)-(6,7-ジメトキシキノキサリン-2-イル)-アミン;
(6,7-ジメトキシキノキサリン-2-イル)-フェニル-アミン; および
(3-クロロフェニル)-(6,7-ジメトキシキノキサリン-2-イル)-アミン、
またはこれらのN-オキシド、水和物、溶媒和物、プロドラッグ、若しくは薬学的に許容される塩。
【請求項８】  該ポリマーコーティングが、ポリカプロラクトン、ポリ（エチレン−コ−ビニルアセテート）、ポリ（ビニルアセテート）およびシリコーンゴムラバーからなる群から選ばれる少なくとも１種を含む、請求項１記載のステント装置。
【請求項９】  該ポリマーコーティングが、ラテックス、ウレタン、ポリシロキサン、およびスチレン−エチレン／ブチレン−スチレンブロック共重合体からなる群から選ばれる少なくとも１種を含む、請求項１記載のステント装置。
【請求項１０】  該ポリマーコーティングが、ポリ−ＤＬ−乳酸、ポリ−Ｌ−乳酸、ポリオルトエステル、ポリイミノカーボネート、脂肪族ポリカーボネート、及びポリホスファゼンからなる群から選ばれる少なくとも１種を含む、請求項１記載のステント装置。
【請求項１１】  該ポリマーコーティングが、さらにポロシゲンを含む、請求項１記載のステント装置。
【請求項１２】  該ポロシゲンが、塩化ナトリウム、ラクトース、又はヘパリンナトリウムの微粒剤からなる群から選ばれる少なくとも１種である、請求項１１記載のステント装置。
【請求項１３】  該ポロシゲンが、ポリエチレングリコールおよびポリエチレン酸化物／ポリプロピレン酸化物共重合体からなる群から選ばれる少なくとも１種である、請求項１１記載のステント装置。
【請求項１４】  速度コントロールメンブランが、ポリマーコーティング上に適用され、式Iの化合物の該ポリマーコーティングからの放出速度を制限している、請求項１記載のステント装置。
【請求項１５】  速度コントロールメンブランが、塩化ナトリウム、ラクトース、ヘパリンナトリウム、ポリエチレングリコール、ポリエチレン酸化物／ポリプロピレン酸化物共重合体、およびこれらの混合物からなる群から選ばれる少なくとも１種のポロシゲンを含む、請求項１記載のステント装置。
【請求項１６】  ステントデバイスの少なくとも１つの表面に式Iの化合物を適用して、生物活性層を形成し、次に、生物活性層の上に多孔性のポリマー材料の１以上のコートを適用することにより、該ポリマーコーティングに式Iの化合物が組み込まれている、請求項１記載のステント装置。
【請求項１７】  多孔性のポリマー材料が、ポリアミド、パリレン又はパリレン誘導体を含む、請求項１６記載のステント装置。
【請求項１８】  多孔性のポリマー材料が、プラズマ蒸着によって付着されている、請求項１６記載のステント装置。
【請求項１９】  多孔性のポリマー材料が、ポリ（エチレン酸化物）、ポリ（エチレングリコール）、ポリ（プロピレン酸化物）及びメタン、シリコーン、およびテトラフルオロエチレンテトラメチルジシロキサンのポリマーからなる群から選ばれる、請求項１８記載のステント装置。
【請求項２０】  該ポリマーコーティングが、分子又はそれらの混合物当たり２つ以上のアクリレート又はメタクリレート基を含む、付加光重合性ポリエチレン性不飽和アクリル又はメタクリル酸エステル由来のものである、請求項１記載のステント装置。
【請求項２１】  モノマーが、エチレングリコールジアクリレート、エチレングリコールジメタクリレート、トリメチロプロパントリアクリレート、トリメチロプロパントリメタクリレート、ペンタエリスリトールテトラアクリレート、ペンタエリスリトールテトラメタクリレート、１，６−ヘキサンジオールジメチタクリレート及びジエチレングリコールジメタクリレートからなる群から選ばれる、請求項２０記載のステント装置。
【請求項２２】  モノマーが、ｎ−ブチルアクリレート、ｎ−ブチルメタクリレート、２−エチルヘキシルアクリレート、ラウリルアクリレート、及び２−ヒドロキシプロピルアクリレートからなる群から選ばれる、請求項２０記載のステント装置。
【請求項２３】  該ポリマーコーティングが、ポリ(L-乳酸)、ポリカプロラクトン、ポリ（ラクチド-コ-グリコリド）、ポリ（ヒドロキシブチレート）、ポリ（ヒドロキシブチレート−コ-バルレート）、ポリジオキサノン、ポリオルトエステル、ポリアンヒドリド、ポリ（グリコール酸）、ポリ(D,L-乳酸)、ポリ（グリコール酸-コトリメチレンカルボネート）、ポリホスホエステル、ポリホスホエステルウレタン、ポリ（アミノ酸）、シアノアクリレート、ポリ（トリメチレンカルボネート）、ポリ（イミノカルボネート）、コポリ（エーテル-エステル）、ポリアルキレンオキサレート、ポリホスファゼン、フィブリン、フィブリノーゲン、セルロース、スターチ、コラーゲンおよびヒアルロン酸からなる群から選ばれるポリマーを含む、請求項１記載のステント装置。
【請求項２４】  該ポリマーコーティングが、ポリウレタン、シリコーン、ポリエステル、ポリオレフィン、ポリイソブチレン、エチレン-アルファオレフィンコポリマー；アクリルポリマーおよびコポリマー、ハロゲン化ビニルポリマーおよびコポリマー；ポリビニルエーテル；ハロゲン化ポリビニリデン；ポリアクリロニトリル、ポリビニルケトン、ポリビニル芳香族、ポリビニルエステル；ビニルモノマーとビニルモノマーのコポリマー、ビニルモノマーとオレフィンのコポリマー、；ポリアミド；アルキルレジン、ポリカーボネート；ポリオキシメチレン；ポリイミド、ポリエーテル；エポキシレジン、ポリウレタン；レーヨン；レーヨン-トリアセテート；セルロース、セルロースアセテート、セルロースブチレート；セルロースアセテートブチレート；セロファン、硝酸セルロース；セルロースプロピオネート；セルロースエーテル；およびカルボキシメチルセルロースからなる群から選ばれるポリマーを含む、請求項１記載のステント装置。
【請求項２５】  再狭窄防止用ステントの製造のための請求項１記載の式Iの化合物の使用であって、式Iの化合物が該ステントに適用されたポリマーコーティングに組み込まれている上記使用。
【請求項２６】  該再狭窄が、血管形成術によるアテローム性動脈硬化症傷害の治療によりつくられた動脈壁に対する物理的傷害部位にある請求項２５記載の使用。